(57)【要約】【課題】  持ちやすく弱い力で確実に保持して使用することができる洗浄用スポンジを提供する。【解決手段】  ブロック状のスポンジ体１２と、スポンジ体１２の互いに対向する一対の側面１２ｂ，１２ｃに形成されスポンジ体１２の中心へ向かう切込部１６が設けられている。切込部１６は、スポンジ体１２のほぼ中央部に形成され、一対の側面１２ｂ，１２ｃ間で互いに貫通している。切込部１６の形状は、平面的な切断面形であり、切込部１６の挿通方向の両端部には、円筒状の空間である丸穴部１８が、切込１２部の挿通方向に沿って設けられている。【選択図】図１
2007007268.tif 000002
【特許請求の範囲】
【請求項１】
ブロック状のスポンジ体と、前記スポンジ体の互いに対向する一対の側面に形成され前記スポンジ体の中心へ向かう切込部が設けられていることを特徴とする洗浄用スポンジ。
【請求項２】
前記切込部は、前記スポンジ体のほぼ中央部に形成され、前記一対の側面間で貫通していることを特徴とする請求項１記載の洗浄用スポンジ。
【請求項３】
前記切込部の形状は、前記切込部の挿通方向の両端部には、筒状の空間が前記切込部の挿通方向に沿って設けられていることを特徴とする請求項１または２記載の洗浄用スポンジ。
【発明の詳細な説明】
【技術分野】
【０００１】
この発明は、食器や浴槽等の家庭用品、その他車や身体等を洗うときに使用する洗浄用スポンジに関する。
【背景技術】
【０００２】
従来、食器や浴槽を洗剤で洗うとき、または家具や自動車の洗浄やワックスがけ等、家庭用品の手入れには、スポンジが使用されている。このようなスポンジのうち、例えば、特許文献１に示すように、スポンジ本体の側面から中心方向に向けて水平に、１又は数本の切り込みや溝が設けられているものが提案されている。この切り込みスポンジは、スポンジの一方の面が汚れた場合に、その部分を切り込みや溝に沿って切り離し、きれいな面を露出させ、再び清潔に使用することができるものである。
【０００３】
また、特許文献２に示す食器洗浄具は、弾性体層と不織布積層体を貼合して設けられ、前記弾性体層の長手方向一側面から略中央部にかけて切り込み面を設け、被洗浄体を挟み込むための上下二層が形成されているものである。これによれば、食器の周縁部を切り込み面で挟み込んで、食器の表裏面を同時に手軽に洗浄することができる。
【０００４】
特許文献３に示す清拭具は、略直方体の弾性体の長手方向両側面に、そのほぼ中心線に沿って切込みが設けられているものである。この切込みは、オイル成分を含んだ清拭布を前記弾性体の底面に巻装させた後、この清拭布の両端辺を挿入して固定させるものである。そして、前記弾性体の上面部分は持ち手として構成されている。これによれば、弾性体のクッション性と清拭布に含まれるオイル成分の清拭作用により、高い清拭効率が得られる。
【特許文献１】実開平２−１４２２５７号公報
【特許文献２】実用新案登録第３０５５１８１号公報
【特許文献３】実用新案登録第３０７７６４７号公報
【発明の開示】
【発明が解決しようとする課題】
【０００５】
上記従来の技術の場合、スポンジを使用するときは、スポンジの側面を指で押さえて保持し、家庭用品等の対象物を擦っていた。しかし、スポンジの弾性力が強いほど手にかかる負担は大きく、疲れやすいものであった。また、握ることでスポンジがゆがみ、対象物に接触する面積が実際の大きさよりも小さいものとなり、作業効率が良くなかった。
【０００６】
この発明は、上記従来の技術の問題点に鑑みてなされたものであり、持ちやすく弱い力で確実に保持して使用することができる洗浄用スポンジを提供することを目的とする。
【課題を解決するための手段】
【０００７】
本発明は、ブロック状のスポンジ体と、前記スポンジ体の互いに対向する一対の側面に形成され前記スポンジ体の中心へ向かう切込部が設けられている洗浄用スポンジである。
【０００８】
また、前記切込部は、前記スポンジ体のほぼ中央部に形成され、前記一対の側面間で互いに貫通している。
【０００９】
そして前記切込部の形状は、平面的な切断面形であり、前記切込部の挿通方向の両端部には、円筒状の空間である丸穴部が前記切込部の挿通方向に沿って設けられている。また前記切込部の形状は、平面的な切断面形以外に、立体的な空間で設けられていても良い。
【発明の効果】
【００１０】
本発明の洗浄用スポンジは、簡単な構造で、持ちやすく弱い力で確実に保持して使用することができ、指に掛かる負担を軽減し、力の弱い人でも容易に洗浄動作を続けることができるものである。
【発明を実施するための最良の形態】
【００１１】
以下、この発明の実施形態について図面に基づいて説明する。図１、図２はこの発明の一実施形態を示すもので、この実施形態の洗浄用スポンジ１０は、一方向に長い矩形のスポンジ体１２が設けられ、スポンジ体１２の長手方向に沿う一側面１２ａには、硬い繊維で作られた不織布体１４が接着されている。
【００１２】
スポンジ体１２の、不織布体１４が設けられた側面１２ａに対して直角に位置する一対の対向する側面１２ｂ，１２ｃには、切込部１６が各々設けられている。切込部１６は、スポンジ体１２と不織布体１４を合わせた厚み方向のほぼ中間付近に設けられ、側面１２ａに対して平行に形成された平面的な切断面形である。切込部１６の、挿通方向の両端部１６ａ，１６ｂには、丸穴部１８がそれぞれ設けられている。丸穴部１８は、側面１２ｂ，１２ｃに対して直角に貫通する円筒形の空間であり、切込部１６に連通されている。
【００１３】
次に、この洗浄用スポンジ１０の使用方法について説明する。図２に示すように、洗浄用スポンジ１０の不織布体１４と反対側の側面１２ｄを持ち、指先を側面１２ｂ，１２ｃの切込部１６に差し込み、スポンジ体１２の切込部１６と側面１２ｄの間の部分を持ち手として握る。そして不織布体１４で食器や浴槽を擦って洗浄をする。食器や浴槽が柔らかい素材で作られているときは、スポンジ体１２の切込部１６と不織布体１４の間の部分を持ち手として握り、側面１２ｄで洗浄する。
【００１４】
また洗浄用スポンジ１０は、図３に示すように洗浄用のシート２０を被せて使用してもよい。シート２０は、例えばメッシュで作られて洗浄力や洗剤の泡立ちを向上させるものや、オイル成分を含んだ拭き取り布等、自由に選択可能である。洗浄用スポンジ１０にシート２０を取り付ける場合は、シート２０を切込部１６に挿通し、シート２０が洗浄用スポンジ１０を包むように巻きつけて、その両端を連結する。また、二枚のシート２０を互いに重ねた状態で切込部１６に挿通して、洗浄用スポンジ１０の側面１２ｄと不織布体１４の両側を包んでも良い。
【００１５】
この実施形態の洗浄用スポンジ１０によれば、簡単な構造で、スポンジ体１２の側面１２ｂ，１２ｃに切込部１６が形成されて指を入れることができ、スポンジ体１２の弾力性を利用して軽く洗浄用スポンジ１０を握ることができ、保持しやすく弱い力でも容易に使用することができる。さらに、スポンジ体１２の持ち手となる部分、つまり切込線１６から一方の側面までの部分を握ると変形するが、他方の側面までの部分は変形せず、洗浄する面積が小さくならず、洗浄作業の効率を維持することができる。
【００１６】
また、切込部１６にシート２０を相通させて洗浄用スポンジ１０に取り付けることができる。洗浄する対象物や目的に合わせてシート２０の素材や表面の形状を変えたり、またシート２０に薬剤を含浸させたりして、いろいろな用途に使用することができる。さらに、シート２０に汚れが付着したら簡単に交換したりすることもできる。シート２０は切込部１６に挿通されて保持されるため、洗浄作業中に外れることがなく、確実に保持される。
【００１７】
そして、切込部１６の両端部には丸穴部１８が形成されているため、切込部１６に指を入れて開いたときに、切込部１６の端部における応力集中を避け、亀裂の発生を防止することができる。また丸穴部１８が形成されていることにより、スポンジ体１２の持ち手となる部分が変形しやすくなり、このことからも弱い力で保持が可能となる。
【００１８】
なお、この実施形態の洗浄用スポンジ１０は、図４に示すように、切込部１６が立体的な空間であり、楕円の円筒形に形成されても良い。
【００１９】
また、図５に示すようにスポンジ体１２の中間に、切込部１６が設けられている位置を含んで、スポンジ体１２よりも耐久性を有するスポンジや不織布で作られた補強体２２が設けられても良い。これにより、切込部１６の端部付近の破損を防止することができる。
【００２０】
さらに、図６に示すように平面的な切断面形である切込部１６に、補助切断部２４が形成されていても良い。補助切断部２４は、切込部１６の２箇所に設けられ、丸穴部１８より少し中心寄りにそれぞれ１本づつ計２本設けられている。補助切断部２４の断面形状は、切込部１６の面に対して直角に十字状に交差して、スポンジ体１２を短く切断したものである。補助切断部２４が設けられたことにより、スポンジ体１２が変形しやすく指を入れやすくなり、切込部１６の両端部分に集中する応力を縦方向にも分散することができる。
【００２１】
この発明の洗浄用スポンジは、上記実施の形態に限定されるものではなく、車のワックスがけ用のスポンジやその他の研磨用、拭き取り等の用途のものを含むものである。さらに、スポンジ体の大きさや形状等、自由に変更可能である。不織布体は、用途に合わせてなくしても良い。また切込部は、前記の他に指が入れやく衣適当な大きさで、適度に指に密着して作業しやすいものであれば、自由に変更可能である。また一対の側面ごとに異なる形状にしても良く、またスポンジ体を貫通せず途中で行き止まりになっていても良い。行き止まりの場合は、行き止まり部分にも丸穴部を設け、応力集中を避けても良い。
【図面の簡単な説明】
【００２２】
【図１】この発明の一実施形態の洗浄用スポンジの斜視図である。
【図２】この実施形態の洗浄用スポンジの使用状態を示す正面図である。
【図３】この実施形態の洗浄用スポンジにシートを取り付けた状態を示す斜視図である。
【図４】この実施形態の洗浄用スポンジの変形例を示す斜視図である。
【図５】この実施形態の洗浄用スポンジの変形例を示す正面図である。
【図６】この実施形態の洗浄用スポンジの変形例を示す正面図である。
【符号の説明】
【００２３】
１０  洗浄用スポンジ
１２  スポンジ体
１４  不織布体
１６  切込部
１８  丸穴部
【図１】
2007007268.tif 000003
【図２】
2007007268.tif 000004
【図３】
2007007268.tif 000005
【図４】
2007007268.tif 000006
【図５】
2007007268.tif 000007
【図６】
2007007268.tif 000008
【手続補正書】
【提出日】平成18年5月16日(2006.5.16)
【手続補正１】
【補正対象書類名】特許請求の範囲
【補正対象項目名】全文
【補正方法】変更
【補正の内容】
【特許請求の範囲】
【請求項１】
ブロック状のスポンジ体と、前記スポンジ体の互いに対向する一対の側面に切込部が形成され、この切り込み部は、その両端部が前記側面内で閉じているとともに、前記スポンジ体の側面から中心へ向かって設けられ、前記切込部は洗浄時に指を入れる部分となることを特徴とする洗浄用スポンジ。
【請求項２】
前記切込部は、前記スポンジ体のほぼ中央部に形成され、前記一対の側面間で貫通していることを特徴とする請求項１記載の洗浄用スポンジ。
【請求項３】
前記切込部の前記側面の面方向の両端部に、筒状の空間が形成され、この空間は、前記切込部が形成された側面から前記スポンジ体内部に向かって形成されていることを特徴とする請求項１または２記載の洗浄用スポンジ。
【手続補正２】
【補正対象書類名】明細書
【補正対象項目名】全文
【補正方法】変更
【補正の内容】
【発明の詳細な説明】
【技術分野】
【０００１】
この発明は、食器や浴槽等の家庭用品、その他車や身体等を洗うときに使用する洗浄用スポンジに関する。
【背景技術】
【０００２】
従来、食器や浴槽を洗剤で洗うとき、または家具や自動車の洗浄やワックスがけ等、家庭用品の手入れには、スポンジが使用されている。このようなスポンジのうち、例えば、特許文献１に示すように、スポンジ本体の側面から中心方向に向けて水平に、１又は数本の切り込みや溝が設けられているものが提案されている。この切り込みスポンジは、スポンジの一方の面が汚れた場合に、その部分を切り込みや溝に沿って切り離し、きれいな面を露出させ、再び清潔に使用することができるものである。
【０００３】
また、特許文献２に示す食器洗浄具は、弾性体層と不織布積層体を貼合して設けられ、前記弾性体層の長手方向一側面から略中央部にかけて切り込み面を設け、被洗浄体を挟み込むための上下二層が形成されているものである。これによれば、食器の周縁部を切り込み面で挟み込んで、食器の表裏面を同時に手軽に洗浄することができる。
【０００４】
特許文献３に示す清拭具は、略直方体の弾性体の長手方向両側面に、そのほぼ中心線に沿って切込みが設けられているものである。この切込みは、オイル成分を含んだ清拭布を前記弾性体の底面に巻装させた後、この清拭布の両端辺を挿入して固定させるものである。そして、前記弾性体の上面部分は持ち手として構成されている。これによれば、弾性体のクッション性と清拭布に含まれるオイル成分の清拭作用により、高い清拭効率が得られる。
【特許文献１】実開平２−１４２２５７号公報
【特許文献２】実用新案登録第３０５５１８１号公報
【特許文献３】実用新案登録第３０７７６４７号公報
【発明の開示】
【発明が解決しようとする課題】
【０００５】
上記従来の技術の場合、スポンジを使用するときは、スポンジの側面を指で押さえて保持し、家庭用品等の対象物を擦っていた。しかし、スポンジの弾性力が強いほど手にかかる負担は大きく、疲れやすいものであった。また、握ることでスポンジがゆがみ、対象物に接触する面積が実際の大きさよりも小さいものとなり、作業効率が良くなかった。
【０００６】
この発明は、上記従来の技術の問題点に鑑みてなされたものであり、持ちやすく弱い力で確実に保持して使用することができる洗浄用スポンジを提供することを目的とする。
【課題を解決するための手段】
【０００７】
本発明は、ブロック状のスポンジ体と、前記スポンジ体の互いに対向する一対の側面に切込部が形成され、この切り込み部は、その両端部が前記側面内で閉じているとともに、前記スポンジ体の側面から中心へ向かって設けられ、前記切込部は洗浄時に指を入れる部分となる洗浄用スポンジである。
【０００８】
また、前記切込部は、前記スポンジ体のほぼ中央部に形成され、前記一対の側面間で互いに貫通している。
【０００９】
そして、前記切込部の前記側面の面方向の両端部に、筒状の空間が形成され、この空間は、前記切込部が形成された側面から前記スポンジ体内部に向かって形成されている。また前記切込部の形状は、平面的な切断面形以外に、立体的な空間で設けられていても良い。
【発明の効果】
【００１０】
本発明の洗浄用スポンジは、簡単な構造で、持ちやすく弱い力で確実に保持して使用することができ、指に掛かる負担を軽減し、力の弱い人でも容易に洗浄動作を続けることができるものである。
【発明を実施するための最良の形態】
【００１１】
以下、この発明の実施形態について図面に基づいて説明する。図１、図２はこの発明の一実施形態を示すもので、この実施形態の洗浄用スポンジ１０は、一方向に長い矩形のスポンジ体１２が設けられ、スポンジ体１２の長手方向に沿う一側面１２ａには、硬い繊維で作られた不織布体１４が接着されている。
【００１２】
スポンジ体１２の、不織布体１４が設けられた側面１２ａに対して直角に位置する一対の対向する側面１２ｂ，１２ｃには、切込部１６が各々設けられている。切込部１６は、スポンジ体１２と不織布体１４を合わせた厚み方向のほぼ中間付近に設けられ、側面１２ａに対して平行に形成された平面的な切断面形である。切込部１６の、挿通方向の両端部１６ａ，１６ｂには、丸穴部１８がそれぞれ設けられている。丸穴部１８は、側面１２ｂ，１２ｃに対して直角に貫通する円筒形の空間であり、切込部１６に連通されている。
【００１３】
次に、この洗浄用スポンジ１０の使用方法について説明する。図２に示すように、洗浄用スポンジ１０の不織布体１４と反対側の側面１２ｄを持ち、指先を側面１２ｂ，１２ｃの切込部１６に差し込み、スポンジ体１２の切込部１６と側面１２ｄの間の部分を持ち手として握る。そして不織布体１４で食器や浴槽を擦って洗浄をする。食器や浴槽が柔らかい素材で作られているときは、スポンジ体１２の切込部１６と不織布体１４の間の部分を持ち手として握り、側面１２ｄで洗浄する。
【００１４】
また洗浄用スポンジ１０は、図３に示すように洗浄用のシート２０を被せて使用してもよい。シート２０は、例えばメッシュで作られて洗浄力や洗剤の泡立ちを向上させるものや、オイル成分を含んだ拭き取り布等、自由に選択可能である。洗浄用スポンジ１０にシート２０を取り付ける場合は、シート２０を切込部１６に挿通し、シート２０が洗浄用スポンジ１０を包むように巻きつけて、その両端を連結する。また、二枚のシート２０を互いに重ねた状態で切込部１６に挿通して、洗浄用スポンジ１０の側面１２ｄと不織布体１４の両側を包んでも良い。
【００１５】
この実施形態の洗浄用スポンジ１０によれば、簡単な構造で、スポンジ体１２の側面１２ｂ，１２ｃに切込部１６が形成されて指を入れることができ、スポンジ体１２の弾力性を利用して軽く洗浄用スポンジ１０を握ることができ、保持しやすく弱い力でも容易に使用することができる。さらに、スポンジ体１２の持ち手となる部分、つまり切込線１６から一方の側面までの部分を握ると変形するが、他方の側面までの部分は変形せず、洗浄する面積が小さくならず、洗浄作業の効率を維持することができる。
【００１６】
また、切込部１６にシート２０を挿通させて洗浄用スポンジ１０に取り付けることができる。洗浄する対象物や目的に合わせてシート２０の素材や表面の形状を変えたり、またシート２０に薬剤を含浸させたりして、いろいろな用途に使用することができる。さらに、シート２０に汚れが付着したら簡単に交換したりすることもできる。シート２０は切込部１６に挿通されて保持されるため、洗浄作業中に外れることがなく、確実に保持される。
【００１７】
そして、切込部１６の両端部には丸穴部１８が形成されているため、切込部１６に指を入れて開いたときに、切込部１６の端部における応力集中を避け、亀裂の発生を防止することができる。また丸穴部１８が形成されていることにより、スポンジ体１２の持ち手となる部分が変形しやすくなり、このことからも弱い力で保持が可能となる。
【００１８】
なお、この実施形態の洗浄用スポンジ１０は、図４に示すように、切込部１６が立体的な空間であり、楕円の円筒形に形成されても良い。
【００１９】
また、図５に示すようにスポンジ体１２の中間に、切込部１６が設けられている位置を含んで、スポンジ体１２よりも耐久性を有するスポンジや不織布で作られた補強体２２が設けられても良い。これにより、切込部１６の端部付近の破損を防止することができる。
【００２０】
さらに、図６に示すように平面的な切断面形である切込部１６に、補助切断部２４が形成されていても良い。補助切断部２４は、切込部１６の２箇所に設けられ、丸穴部１８より少し中心寄りにそれぞれ１本ずつ計２本設けられている。補助切断部２４の断面形状は、切込部１６の面に対して直角に十字状に交差して、スポンジ体１２を短く切断したものである。補助切断部２４が設けられたことにより、スポンジ体１２が変形しやすく指を入れやすくなり、切込部１６の両端部分に集中する応力を縦方向にも分散することができる。
【００２１】
この発明の洗浄用スポンジは、上記実施の形態に限定されるものではなく、車のワックスがけ用のスポンジやその他の研磨用、拭き取り等の用途のものを含むものである。さらに、スポンジ体の大きさや形状等、自由に変更可能である。不織布体は、用途に合わせてなくしても良い。また切込部は、前記の他に指が入れやく衣適当な大きさで、適度に指に密着して作業しやすいものであれば、自由に変更可能である。また一対の側面ごとに異なる形状にしても良く、またスポンジ体を貫通せず途中で行き止まりになっていても良い。行き止まりの場合は、行き止まり部分にも丸穴部を設け、応力集中を避けても良い。
【図面の簡単な説明】
【００２２】
【図１】この発明の一実施形態の洗浄用スポンジの斜視図である。
【図２】この実施形態の洗浄用スポンジの使用状態を示す正面図である。
【図３】この実施形態の洗浄用スポンジにシートを取り付けた状態を示す斜視図である。
【図４】この実施形態の洗浄用スポンジの変形例を示す斜視図である。
【図５】この実施形態の洗浄用スポンジの変形例を示す正面図である。
【図６】この実施形態の洗浄用スポンジの変形例を示す正面図である。
【符号の説明】
【００２３】
１０  洗浄用スポンジ
１２  スポンジ体
１４  不織布体
１６  切込部
１８  丸穴部
【手続補正書】
【提出日】平成18年9月4日(2006.9.4)
【手続補正１】
【補正対象書類名】特許請求の範囲
【補正対象項目名】全文
【補正方法】変更
【補正の内容】
【特許請求の範囲】
【請求項１】
ブロック状のスポンジ体と、前記スポンジ体の互いに対向する一対の側面に切込部が形成され、この切込部は、前記スポンジ体の一対の側面内に形成されその両端部が前記側面内に位置して閉じているとともに、前記スポンジ体の一対の側面から中心へ向かって設けられて前記一対の側面間で貫通し、前記切込部の前記側面の面方向の両端部には筒状の空間が形成され、この空間は、前記切込部が形成された一対の側面間で前記スポンジ体内を貫通し、前記切込部は洗浄時に指を入れる部分となることを特徴とする洗浄用スポンジ。
【請求項２】
前記スポンジ体の切込部にシートを挿通し、このシートを前記スポンジ体を包むように巻きつけたことを特徴とする請求項１記載の洗浄用スポンジ。
【請求項３】
前記シートは、二枚のシートを互いに重ねた状態で前記切込部に挿通され、前記スポンジ体の互いに対向する他の一対の側面を各々包んだことを特徴とする請求項２記載の洗浄用スポンジ。
【手続補正２】
【補正対象書類名】明細書
【補正対象項目名】全文
【補正方法】変更
【補正の内容】
【発明の詳細な説明】
【技術分野】
【０００１】
この発明は、食器や浴槽等の家庭用品、その他車や身体等を洗うときに使用する洗浄用スポンジに関する。
【背景技術】
【０００２】
従来、食器や浴槽を洗剤で洗うとき、または家具や自動車の洗浄やワックスがけ等、家庭用品の手入れには、スポンジが使用されている。このようなスポンジのうち、例えば、特許文献１に示すように、スポンジ本体の側面から中心方向に向けて水平に、１又は数本の切り込みや溝が設けられているものが提案されている。この切り込みスポンジは、スポンジの一方の面が汚れた場合に、その部分を切り込みや溝に沿って切り離し、きれいな面を露出させ、再び清潔に使用することができるものである。
【０００３】
また、特許文献２に示す食器洗浄具は、弾性体層と不織布積層体を貼合して設けられ、前記弾性体層の長手方向一側面から略中央部にかけて切り込み面を設け、被洗浄体を挟み込むための上下二層が形成されているものである。これによれば、食器の周縁部を切り込み面で挟み込んで、食器の表裏面を同時に手軽に洗浄することができる。
【０００４】
特許文献３に示す清拭具は、略直方体の弾性体の長手方向両側面に、そのほぼ中心線に沿って切込みが設けられているものである。この切込みは、オイル成分を含んだ清拭布を前記弾性体の底面に巻装させた後、この清拭布の両端辺を挿入して固定させるものである。そして、前記弾性体の上面部分は持ち手として構成されている。これによれば、弾性体のクッション性と清拭布に含まれるオイル成分の清拭作用により、高い清拭効率が得られる。
【特許文献１】実開平２−１４２２５７号公報
【特許文献２】実用新案登録第３０５５１８１号公報
【特許文献３】実用新案登録第３０７７６４７号公報
【発明の開示】
【発明が解決しようとする課題】
【０００５】
上記従来の技術の場合、スポンジを使用するときは、スポンジの側面を指で押さえて保持し、家庭用品等の対象物を擦っていた。しかし、スポンジの弾性力が強いほど手にかかる負担は大きく、疲れやすいものであった。また、握ることでスポンジがゆがみ、対象物に接触する面積が実際の大きさよりも小さいものとなり、作業効率が良くなかった。
【０００６】
この発明は、上記従来の技術の問題点に鑑みてなされたものであり、持ちやすく弱い力で確実に保持して使用することができる洗浄用スポンジを提供することを目的とする。
【課題を解決するための手段】
【０００７】
本発明は、ブロック状のスポンジ体と、前記スポンジ体の互いに対向する一対の側面に切込部が形成され、この切込部は、前記スポンジ体の一対の側面内に形成されその両端部が前記側面内に位置して閉じているとともに、前記スポンジ体の一対の側面から中心へ向かって設けられて前記一対の側面間で貫通し、前記切込部の前記側面の面方向の両端部には筒状の空間が形成され、この空間は、前記切込部が形成された一対の側面間で前記スポンジ体内を貫通し、前記切込部は洗浄時に指を入れる部分となる洗浄用スポンジである。
【０００８】
また、前記スポンジ体の切込部にシートを挿通し、このシートを前記スポンジ体を包むように巻きつけたものでも良い。
【０００９】
さらに、前記シートは、二枚のシートを互いに重ねた状態で前記切込部に挿通され、前記スポンジ体の互いに対向する他の一対の側面を各々包んだものでも良い。
【発明の効果】
【００１０】
本発明の洗浄用スポンジは、簡単な構造で、持ちやすく弱い力で確実に保持して使用することができ、指に掛かる負担を軽減し、力の弱い人でも容易に洗浄動作を続けることができるものである。
【発明を実施するための最良の形態】
【００１１】
以下、この発明の実施形態について図面に基づいて説明する。図１、図２はこの発明の一実施形態を示すもので、この実施形態の洗浄用スポンジ１０は、一方向に長い矩形のスポンジ体１２が設けられ、スポンジ体１２の長手方向に沿う一側面１２ａには、硬い繊維で作られた不織布体１４が接着されている。
【００１２】
スポンジ体１２の、不織布体１４が設けられた側面１２ａに対して直角に位置する一対の対向する側面１２ｂ，１２ｃには、切込部１６が各々設けられている。切込部１６は、スポンジ体１２と不織布体１４を合わせた厚み方向のほぼ中間付近に設けられ、側面１２ａに対して平行に形成された平面的な切断面形である。切込部１６の、挿通方向の両端部１６ａ，１６ｂには、丸穴部１８がそれぞれ設けられている。丸穴部１８は、側面１２ｂ，１２ｃに対して直角に貫通する円筒形の空間であり、切込部１６に連通されている。
【００１３】
次に、この洗浄用スポンジ１０の使用方法について説明する。図２に示すように、洗浄用スポンジ１０の不織布体１４と反対側の側面１２ｄを持ち、指先を側面１２ｂ，１２ｃの切込部１６に差し込み、スポンジ体１２の切込部１６と側面１２ｄの間の部分を持ち手として握る。そして不織布体１４で食器や浴槽を擦って洗浄をする。食器や浴槽が柔らかい素材で作られているときは、スポンジ体１２の切込部１６と不織布体１４の間の部分を持ち手として握り、側面１２ｄで洗浄する。
【００１４】
また洗浄用スポンジ１０は、図３に示すように洗浄用のシート２０を被せて使用してもよい。シート２０は、例えばメッシュで作られて洗浄力や洗剤の泡立ちを向上させるものや、オイル成分を含んだ拭き取り布等、自由に選択可能である。洗浄用スポンジ１０にシート２０を取り付ける場合は、シート２０を切込部１６に挿通し、シート２０が洗浄用スポンジ１０を包むように巻きつけて、その両端を連結する。また、二枚のシート２０を互いに重ねた状態で切込部１６に挿通して、洗浄用スポンジ１０の側面１２ｄと不織布体１４の両側を包んでも良い。
【００１５】
この実施形態の洗浄用スポンジ１０によれば、簡単な構造で、スポンジ体１２の側面１２ｂ，１２ｃに切込部１６が形成されて指を入れることができ、スポンジ体１２の弾力性を利用して軽く洗浄用スポンジ１０を握ることができ、保持しやすく弱い力でも容易に使用することができる。さらに、スポンジ体１２の持ち手となる部分、つまり切込線１６から一方の側面までの部分を握ると変形するが、他方の側面までの部分は変形せず、洗浄する面積が小さくならず、洗浄作業の効率を維持することができる。
【００１６】
また、切込部１６にシート２０を挿通させて洗浄用スポンジ１０に取り付けることができる。洗浄する対象物や目的に合わせてシート２０の素材や表面の形状を変えたり、またシート２０に薬剤を含浸させたりして、いろいろな用途に使用することができる。さらに、シート２０に汚れが付着したら簡単に交換したりすることもできる。シート２０は切込部１６に挿通されて保持されるため、洗浄作業中に外れることがなく、確実に保持される。
【００１７】
そして、切込部１６の両端部には丸穴部１８が形成されているため、切込部１６に指を入れて開いたときに、切込部１６の端部における応力集中を避け、亀裂の発生を防止することができる。また丸穴部１８が形成されていることにより、スポンジ体１２の持ち手となる部分が変形しやすくなり、このことからも弱い力で保持が可能となる。
【００１８】
なお、この実施形態の洗浄用スポンジ１０は、図４に示すように、切込部１６が立体的な空間であり、楕円の円筒形に形成されても良い。
【００１９】
また、図５に示すようにスポンジ体１２の中間に、切込部１６が設けられている位置を含んで、スポンジ体１２よりも耐久性を有するスポンジや不織布で作られた補強体２２が設けられても良い。これにより、切込部１６の端部付近の破損を防止することができる。
【００２０】
さらに、図６に示すように平面的な切断面形である切込部１６に、補助切断部２４が形成されていても良い。補助切断部２４は、切込部１６の２箇所に設けられ、丸穴部１８より少し中心寄りにそれぞれ１本ずつ計２本設けられている。補助切断部２４の断面形状は、切込部１６の面に対して直角に十字状に交差して、スポンジ体１２を短く切断したものである。補助切断部２４が設けられたことにより、スポンジ体１２が変形しやすく指を入れやすくなり、切込部１６の両端部分に集中する応力を縦方向にも分散することができる。
【００２１】
この発明の洗浄用スポンジは、上記実施の形態に限定されるものではなく、車のワックスがけ用のスポンジやその他の研磨用、拭き取り等の用途のものを含むものである。さらに、スポンジ体の大きさや形状等、自由に変更可能である。不織布体は、用途に合わせてなくしても良い。また切込部は、前記の他に指が入れやく衣適当な大きさで、適度に指に密着して作業しやすいものであれば、自由に変更可能である。また一対の側面ごとに異なる形状にしても良く、またスポンジ体を貫通せず途中で行き止まりになっていても良い。行き止まりの場合は、行き止まり部分にも丸穴部を設け、応力集中を避けても良い。
【図面の簡単な説明】
【００２２】
【図１】この発明の一実施形態の洗浄用スポンジの斜視図である。
【図２】この実施形態の洗浄用スポンジの使用状態を示す正面図である。
【図３】この実施形態の洗浄用スポンジにシートを取り付けた状態を示す斜視図である。
【図４】この実施形態の洗浄用スポンジの変形例を示す斜視図である。
【図５】この実施形態の洗浄用スポンジの変形例を示す正面図である。
【図６】この実施形態の洗浄用スポンジの変形例を示す正面図である。
【符号の説明】
【００２３】
１０  洗浄用スポンジ
１２  スポンジ体
１４  不織布体
１６  切込部
１８  丸穴部